(57)【要約】      （修正有）【課題】歩行用の杖を、机、テーブル、棚、その他の家具に寄り添わせて、ほぼ鉛直に床面に立てたまま、杖から手を放した時に安定に杖を保持できるようにし、且つ、杖への着脱、使用法が簡単で、小型、軽量、歩行時に邪魔にならない構造を持つ歩行用杖の転倒防止具を提供する。【解決手段】摩擦力と磁力を利用するために、杖１に着脱可能な、ベルト状の取り付け部２と、これに紐又は鎖２ｃを介して取り付ける杖用支持プレート３を備える。杖を机などの面の端に立てかける時は、摩擦層３ｂを机の水平面に接触させて、摩擦力によって、杖の転倒を防止する。中央層３ａの、裏面には磁石層３ｃを接着し、杖をスチール製の家具に沿わせて立てかける時には、磁石層３ｃを家具のスチール面に接触させ、磁力によって、杖の転倒を防止する。【選択図】  図１
2005058713.tif 000002
【特許請求の範囲】
【請求項１】
（イ）杖用支持プレート（３）は、中央層（３ａ）、摩擦層（３ｂ）、磁石層（３ｃ）の３層構造を持ち、中央層（３ａ）には、比重の大きな金属の平板を単一相で使用するか、または、この金属をプラスチックの中に埋め込んだ複合板を用いる。中央層（３ａ）の、一方の面には摩擦係数の大きな材質の平板を接着して摩擦層（３ｂ）とし、もう一方の面には磁石板を接着して磁石層（３ｃ）とする。
（ロ）杖用支持プレート（３）を、杖本体（１）に着脱可能に取り付ける  取り付け部（２）を設ける。
（ハ）取り付け部（２）に、杖用支持プレート（３）を歩行時に掛け止め出来るフック（２ｄ）を備える。
以上の（イ）、（ロ）、（ハ）の３構造を特徴として含む  歩行用杖の転倒防止具。
【発明の詳細な説明】
【技術分野】
【０００１】歩行の不自由な人が非歩行時に自分の手元に近いところに歩行用の杖を、ほぼ鉛直に立てたまま手を放した状態で、安定に保持できる歩行用杖の転倒防止具に関する技術分野である。
【背景技術】
【０００２】  市販の杖には杖の長さより高い台であれば把手を掛けてぶらさげて置けるように把手の形が出来ているものがあるが台の高さが低いと杖が斜めになって滑ってしまい把手では安定に保持することができない。
また市販の杖にはリング状の紐が付けてあるものがあり、このリング状の紐は、壁面にあるフックに掛けることができるが、机や食卓には、フックはないので活用できない。
公開されている特許としては、杖に対して着脱可能な取り付け部に、２種類の掛け止め部、リング状の紐部、樹脂製吸盤を設け、これらを選択して用いることができる杖用支持具がある。（特許文献１参照）。
【特許文献１】特開平０９−０３７８２２
【発明の開示】
【発明が解決しようとする課題】
【０００３】    歩行が不自由で杖をたよりにしていると、椅子に腰掛けて過ごす時間が長くなる。
このような場合杖の非使用時にも杖を手元近くに置き、しかも、その杖がほぼ鉛直に立っていて手を伸ばせば、すぐに杖を持って立ち上がれることが望ましい。その為には杖を、机や食卓に添わせてほぼ鉛直に、しかも安定に立てることが出来る、歩行用杖の転倒防止具が必要である。市販の杖に簡単に取り付けられ、使用法が簡単、小型、軽量、歩行時に邪魔にならない構造を持つ歩行用の杖の転倒防止具を作ることが課題である。
【課題を解決するための手段】
【０００４】  杖が転倒する原因は、立てかけた杖に働く偶力であるからこれに抗する何らかの力を働かせる必要がある。この力として摩擦力と磁力を利用することを解決の特徴とする。【０００５】  本発明の歩行用杖の転倒防止具では杖本体（１）の棒状部の任意の位置で着脱可能な取り付け部（２）に杖用支持プレート（３）が紐又は鎖（２ｃ）を介して接続されている。この杖用支持プレート（３）は３層構造になっていて、中央層（３ａ）は摩擦力を発生させる為の錘板としての役目と、他の２層を接着する為の基板としての役目を持つ。比重の大きな金属の平板を使用して、この両方の役目を果たさせることができる（図２、図３）。また比重の大きな金属の平板で錘板を作りこれをプラスチックに埋め込んで複合構造にすることもできる（図４，図５）。中央層（３ａ）の一方の面には、摩擦係数の大きな材質の平板を接着し摩擦層（３ｂ）を作る。中央層（３ａ）の他方の面には磁石板を接着し磁石層（３ｃ）を作る。【０００６】  杖用支持プレート（３）の平面としての形は特にどのような形と決める必要はないが摩擦面を下にして水平面上に置いた時に摩擦力が効率よく働くためには、摩擦層（３ｂ）と錘板（３ａ１）がよく重なるように接着されることが重要である。【０００７】さらに、杖用支持プレート（３）が、歩行時に邪魔にならないように、取り付け部（２）にフック（２ｄ）を付け、これに杖用支持プレート（３）の金属製の環（３ｄ）を掛けるようにした。（図７）
【発明の効果】
【０００８】  以上説明したように本発明の歩行用杖の転倒防止具は、杖用支持プレート（３）により、使用者は自分の手近なところに杖をほぼ鉛直に立てたまま手を放して放置し、椅子に腰掛けて仕事、食事、休憩でき、次に立ち上がる際にはすぐ、その杖を持つことが出来るので、安全で便利である。食卓にテーブル掛けが掛けてある場合にも使用できる。
【発明を実施するための最良の形態】
【０００９】添付した図に基づいて、以下に本発明の実施の形態について説明する。本発明の、歩行者用杖の転倒防止具は図１に示すように取り付け部（２）と杖用支持プレート（３）から成る。取り付け部（２）は図６に示すように、ベルト状で、その材質には、伸縮性のあるものを用いる。ベルト（２ａ）の両端には、マジックテープ（２ｅ）を取り付けてあり、杖本体（１）にベルト（２ａ）を巻き付けて、両端のマジックテープ（２ｅ）を重ね合わせ、圧しつければ取り付け部（２）を杖本体（１）の棒状部の任意の位置にしっかりと留めることができ、着脱ともに容易である。取り付けた状態の斜視図を図７に示す。【００１０】杖用支持プレート（３）の使用法は、机や台の水平面の端に添わせて杖をほぼ鉛直に立て、取り付け部（２）の金属製の環（２ｂ）の下側が机、台、棚などの水平面に載る位置まで取り付け部（２）を移動させる。次に紐又は鎖（２ｃ）を、杖が接触している辺（へん）に対して直角の方向に引っ張って、摩擦層（３ｂ）を机又は台、棚などの、水平面に密着させると、安定に杖を保持できる（図８）。これらの家具の水平面を形成している材質に関わりなく上記の手順で摩擦力を杖の転倒防止に用いることができる。【００１１】次に支持プレート（３）を接触させる面がスチール製の場合には磁石層（３ｃ）を家具の面に接触させ、磁力によって安定に杖を保持できる。磁石層（３ｃ）を接触させるスチール面の向きは水平、鉛直のどちらでも良い。（図９）【００１２】この他、杖を床面に対し鉛直に立てた状態で紐又は鎖（２ｃ）をかけることができるフックやレール状の物体、例えば椅子の肘掛けを使って、紐又は鎖（２ｃ）を肘掛に掛け、支持プレート（３）を杖とは反対側にぶら下げることにより杖を安定に保持できる。（図１０）【００１３】歩行時には、取り付け部（２）のフック（２ｄ）に、杖用支持プレート（３）の金属環（３ｄ）を掛けておき、杖用支持プレート（３）が揺れて歩行の邪魔になるのを防ぐ。（図７）
【実施例】
【００１４】質量が２００ｇと３００ｇの杖について、取り付け部（２）を含め総質量４５ｇの歩行用杖の転倒防止具を作って実験したところ所期の目的を充分果たす結果となった。
【図面の簡単な説明】
【図１】歩行用の杖の転倒防止具を杖本体（１）に取り付けた状態を示す斜視図。
【図２】杖用支持プレート（３）の一例の斜視図。
【図３】図２の杖用支持プレート（３）の側面図。中央層（３ａ）を比重の大きな金属板の単一相で作った一例として示した。
【図４】杖用支持プレート（３）の他の例の斜視図。
【図５】図４の杖用支持プレート（３）の側面図。比重の大きな金属板で作った錘板（３ａ１）をプラスチック（３ａ２）に埋め込んだ複合板で中央層（３ａ）を、作った一例として示した。
【図６】取り付け部（２）のベルト（２ａ）を拡げた状態を示す斜視図。
【図７】杖に取り付け部（２）を取り付けたところを示す斜視図。支持プレート（３）の金属環（３ｄ）を取り付け部（２）のフック（２ｄ）に掛けたところを示す斜視図。
【図８】杖本体（１）を机（４）の水平面の端に沿わせてほぼ鉛直に立てかけた時は、摩擦層（３ｂ）を机の面に接触させる。摩擦力が杖の転倒を防止して、杖が安定に保持されている状態を示す斜視図。
【図９】杖をスチール製の家具（５）に沿わせてほぼ鉛直に立てかけた時は、磁石層（３ｃ）をスチール製の家具の平面に接触させる。磁石による引力が杖の転倒を防止して、杖が安定に保持されている状態を示す斜視図。
【図１０】椅子（６）の肘掛けと背もたれの接点の近くに沿わせてほぼ鉛直に杖本体（１）を立て、肘掛けへ取り付け部（２）の紐または鎖（２ｃ）を掛け、支持プレート（３）を杖と反対側にぶら下げることにより杖が安定に保持される状態を示す斜視図。
【符号の説明】
１  杖本体
２  取り付け部
２ａ  ベルト
２ｂ  金属製の環
２ｃ  紐又は鎖
２ｄ  フック
２ｅ  マジックテープ
３  杖用支持プレート
３ａ  中央層
３ａ１  錘板
３ａ２  プラスチック
３ｂ  摩擦層
３ｃ  磁石層
３ｄ  金属製の環
３ｅ  金属製の環を通すための穴
４  机の面
５  スチールの柱や家具
６  椅子
【図１】
2005058713.tif 000003
【図２】
2005058713.tif 000004
【図３】
2005058713.tif 000005
【図４】
2005058713.tif 000006
【図５】
2005058713.tif 000007
【図６】
2005058713.tif 000008
【図７】
2005058713.tif 000009
【図８】
2005058713.tif 000010
【図９】
2005058713.tif 000011
【図１０】
2005058713.tif 000012